(57)【要約】【課題】膜式ガスメータにおいて、ケースを前面に設けるに際し、ケースを樹脂製にし、且つ電子制御部より上につなぎ目を生じさせることなく優れた防水性を実現する構造を提供する。【解決手段】膜式ガスメータ１の電子制御ユニット６は、正面ケース４より背面側であって、且つ後方下側ケース及び／又は後方上側ケースの前面側に位置するように配設されている。また、端子台（端子台ボックス）の搭載領域は、後方下側ケースの前面側であって、電子制御ユニット６の最も下方とする。正面ケース４の上部は、後方上側ケースにネジによってネジ止めする。さらに、正面ケース４の下部には、電子制御ユニット６又はそれを搭載するケース又は後方下側ケースに設けた爪引掛け部６ｆに、引っ掛けて保持するための爪部４ｆを設けておく。【選択図】図２
2010019590.tif 000002
【特許請求の範囲】
【請求項１】
ガス流量を膜の往復運動により計量するための計量室を構成する後方下側ケースと、
圧力センサ及び遮断弁を内部に具備し該後方下側ケースの上方に配設された後方上側ケースと、
基板を有する電子制御ユニットと、
前記後方下側ケース及び前記後方上側ケースの前面を覆うように配設された正面ケースと、を備えた膜式ガスメータであって、
前記正面ケースは、樹脂製とし、前記基板に接続された端子台の搭載領域を除き一体で形成され、
前記電子制御ユニットは、前記正面ケースより背面側であって、且つ前記後方下側ケース及び／又は前記後方上側ケースの前面側に配設され、
前記端子台の搭載領域は、前記後方下側ケースの前面側であって且つ前記電子制御ユニットの最も下方とし、
前記正面ケースの上部は前記後方上側ケースにネジ止めし、前記正面ケースの下部には、前記電子制御ユニット又は前記電子制御ユニットを搭載するケース又は前記後方下側ケースに設けた爪引掛け部に引っ掛けて保持するための爪部を有することを特徴とする膜式ガスメータ。
【請求項２】
前記正面ケースは、開口部を有し、当該膜式ガスメータは、該開口部から視認可能に前記計量されたガス流量の積算値を表示するカウンタを有することを特徴とする請求項１に記載の膜式ガスメータ。
【発明の詳細な説明】
【技術分野】
【０００１】
本発明は、防水構造をもつ膜式ガスメータに関する。
【背景技術】
【０００２】
従来の膜式ガスメータ及びその防水構造について、図４を参照して説明する。図４は、屋外に設置する従来の膜式ガスメータの一例を示す外観図である。従来の膜式ガスメータ１００は、図４に示すように、後方上側ケース３０及び後方下側ケース４０で構成される計量部と、カウンタ表示部１０と、電子制御部２０とを備えている。後方下側ケース４０には主に計量室が設けられており、後方上側ケース３０には主に圧力センサや遮断弁が設けられている。
【０００３】
カウンタ表示部１０は、内部に剛性のあるアルミダイカストでできたカウンタ筐体（図示せず）と、それを覆う樹脂製のカウンタケース１１とを有する。カウンタ筐体は、内部に設けられたカウンタ筒の周囲を囲むものである。カウンタ筒は、ガス流量の積算値をカウント表示する数字車である。カウンタ筐体は、気密を必要とし且つそのカウンタ筒が示す流量積算値を視認可能とする必要がある。従って、カウンタケース１１はその正面に開口部１２が設けられており、カウンタ筐体の表示面に設けたガラス１３をその開口部１２に接着して開口部１２が塞がれている。カウンタ表示部１０は、このようにカウンタ筐体にガラス１３を接着してなる部分が後方上側ケース３０の前面に配設され、さらにそれらを覆うように開口部１２を有するカウンタケース１１が設けられ、後方上側ケース３０にネジ５０ａで取り付けられている。
【０００４】
電子制御部２０は、電子制御部ケース２１と、基板を搭載した電子制御ユニットとを有する。ここで、後方下側ケース４０の前面に電子制御ユニットが設けられ、さらにそれらを覆うように電子制御部ケース２１が設けられている。また、上述の電子制御ユニットには端子台が接続されており、この端子台は、後述の電子制御部ケース２１とフラットになるように端子台カバー２１ａで覆われ、ネジ５０ｂで電子制御ユニット又は後方下側ケース４０に取り付けられている。
【０００５】
このように、屋外に設置される膜式ガスメータは殆どが電子制御ユニットを搭載している。そして、電子制御ユニットを保護するために、カウンタケース１１とカウンタ本体との間、電子制御部ケース２１と電子制御ユニットとの間、カウンタケース１１と電子制御部ケース２１とのつなぎ目などに、パッキンなどで防水構造が施されている。
【０００６】
なお、屋外に設置する電子機器の防雨構造として、特許文献１には、屋外に設置するインターホンに設けられた接続端子の防雨構造について記載されている。特許文献１に記載の技術は、伝送線上の水滴を接続端子から離れる方向に向かわせて落下させるように、端子防雨蓋を設置するものである。また、この端子防雨蓋は、下ケースに爪で固定されており容易に下ケースから取り外すことが可能になっている。
【特許文献１】特開２００５−１５９８９２号公報
【発明の開示】
【発明が解決しようとする課題】
【０００７】
しかしながら、従来の膜式ガスメータでは、前面に設けた樹脂製ケース同士のつなぎ目に防水加工を施しても、その防水効果は限られており、後方下側ケース前面に設けた電子制御部ケースの内部に水が侵入してしまう。一方、このように前面のケースを二つなど複数に分けない構造を採用しようとすると、樹脂製ではなく剛性のあるアルミダイカストなどを採用しないと、変形等により防水構造が弱いものとなる。なお、特許文献１に記載の技術は内部に侵入した雨滴を避けるための技術であり、この問題を解決することはできない。
【０００８】
本発明は、上述のごとき実状に鑑みてなされたものであり、膜式ガスメータにおいて、ケースを前面に設けるに際し、ケースを樹脂製にし、且つ電子制御ユニットの主要部より上につなぎ目を生じさせることなく、優れた防水性を実現する構造を提供すること、をその目的とする。
【課題を解決するための手段】
【０００９】
上記課題を解決するために、本発明の第１の技術手段は、ガス流量を膜の往復運動により計量するための計量室を構成する後方下側ケースと、圧力センサ及び遮断弁を内部に具備し該後方下側ケースの上方に配設された後方上側ケースと、基板を有する電子制御ユニットと、前記後方下側ケース及び前記後方上側ケースの前面を覆うように配設された正面ケースと、を備えた膜式ガスメータであって、前記正面ケースは、樹脂製とし、前記基板に接続された端子台の搭載領域を除き一体で形成され、前記電子制御ユニットは、前記正面ケースより背面側であって、且つ前記後方下側ケース及び／又は前記後方上側ケースの前面側に配設され、前記端子台の搭載領域は、前記後方下側ケースの前面側であって且つ前記電子制御ユニットの最も下方とし、前記正面ケースの上部は前記後方上側ケースにネジ止めし、前記正面ケースの下部には、前記電子制御ユニット又は前記電子制御ユニットを搭載するケース又は前記後方下側ケースに設けた爪引掛け部に引っ掛けて保持するための爪部を有することを特徴としたものである。
【００１０】
本発明の第２の技術手段は、第１の技術手段において、前記正面ケースは、開口部を有し、当該膜式ガスメータは、該開口部から視認可能に前記計量されたガス流量の積算値を表示するカウンタを有することを特徴としたものである。
【発明の効果】
【００１１】
本発明によれば、膜式ガスメータにおいて、ケースを前面に設けるに際し、ケースを樹脂製にし、且つ電子制御部より上につなぎ目を生じさせることなく優れた防水性を実現することができる。
【発明を実施するための最良の形態】
【００１２】
図１は、本発明に係る膜式ガスメータの一例を示す外観図で、図２は、図１の膜式ガスメータにおける一体化ケースの固定構造の一例を示す部分断面図で、図３は、図１の膜式ガスメータの正面ケースを外した構成例を示す外観図である。
【００１３】
図１〜図３で例示する膜式ガスメータ１は、ガス流量を膜の往復運動により計量するための計量室を構成する後方下側ケース３と、後方下側ケース３の上方に配設され、圧力センサ及び遮断弁を内部に具備する後方上側ケース２と、電子部品を搭載する基板６ａを有する電子制御ユニット６と、後方下側ケース３及び後方上側ケース２の前面を覆うように配設された正面ケース（前面ケース）４とを備える。
【００１４】
後方下側ケース３は、ケース本体と計量室以外に必要に応じて適宜部品を設けておけばよい。後方上側ケース２も同様に、ケース本体と圧力センサや遮断弁以外にも必要に応じて適宜部品を設けておけばよい。後方下側ケース３と後方上側ケース２とでガス流量を計測する計測部を構成する。
【００１５】
また、電子制御ユニット６は主に基板６ａ及びそれに搭載された電子部品で構成され、電子部品としては、流量値等の処理演算を行うマイクロコンピュータや、各種積算値や警告情報などを表示する液晶表示部６ｂなどが搭載されている。また、電子制御ユニット６には、基板６ａに接続された端子台６ｃも設けられている。基板６ａは、図３に示すように、剛性のあるアルミダイカストでできた電子制御ユニット収納ケース（電子制御ユニット搭載用ケース）６ｇに搭載されており、この電子制御ユニット収納ケース６ｇはネジ６ｈにより後方下側ケース３に固定されている。電子制御ユニット収納ケース６ｇは電子制御ユニット６を収納するためのケースである。なお、図２において、符号６ｅで示す部位は復帰操作カード挿入口４ｃから続く挿入口であり、符号６ｄで示す部位は容器リセットボタンである。
【００１６】
正面ケース４は、樹脂製とする。これによりアルミダイカストなどに比べ安価に製造することができる。また、正面ケース４は、図１に示すように、端子台６ｃの搭載領域を除き一体で形成されている。さらに、正面ケース４は、図３に示すようにカウンタ７のガラス７ａの設置位置に対応する位置に、開口部４ａを有しており、このカウンタ７のガラス７ａと開口部４ａの縁とはゴム等の弾性部材で防水加工が施されている。ここで、カウンタ７は、内部にガス流量の積算値をカウント表示する数字車であるカウンタ筒を有し、剛性のあるアルミダイカストでできたカウンタ筐体７ｂとガラス７ａとでそのカウンタ筒が覆われている。
【００１７】
また、正面ケース４には、電子制御部の基板６ａに搭載された液晶表示部６ｂの設置位置に対応する位置にガラス４ｂが設けられている。ガラス４ｂも開口部としてもよく、その場合には開口部４ａと同様の防水加工を行うとよい。また、正面ケース４の側面には復帰操作カード挿入口４ｃが設けられており、この挿入口４ｃは板状のゴムにより未挿入時には閉口するような防水構造を採用しておくとよい。
【００１８】
電子制御ユニット６は、このような正面ケース４より背面側に配設され、且つ、後方下側ケース３の前面側に配設されるか、或いは後方下側ケース３及び後方上側ケース２の前面側に配設されるか、或いは後方上側ケース２の前面側に配設される。
【００１９】
また、端子台（端子台ボックス）６ｃの搭載領域は、後方下側ケース３の前面側であって、電子制御ユニット６の最も下方とする。また、端子台６ｃの搭載領域の前面側には、端子台６ｃを覆うように端子台カバー４ｄがネジ５ｂで取り付けられており、この端子台カバー４ｄは正面ケース４に対しフラットに設けられる。なお、図２においては、端子台カバー４ｄを省略して図示している。
【００２０】
上述のように端子台６ｃの搭載領域以外、正面ケース４が一体で形成されているため、カバー４ｄと正面ケース４との間のつなぎ目が電子制御ユニット６の主たる構成（例えば液晶表示部６ｂ等）より下に位置することになる。従って、電子制御ユニット６に対して施す防水加工は、復帰ボタンや容器リセットボタン６ｄとの境目に対して施すなどすれば済み、電子制御ユニット６の主たる構成に水が侵入することはない。カバー４ｄと正面ケース４との間のつなぎ目の防水加工はゴム等の弾性部材により施しておけばよい。
【００２１】
次に、本発明で採用している正面ケース４の取り付け構造（固定構造）について説明する。
正面ケース４の上部は、後方上側ケース２にネジ５ａによってネジ止めする。さらに、正面ケース４の下部には、電子制御ユニット収納ケース６ｇに設けた爪引掛け部６ｆに引っ掛けて保持するための爪部４ｆを設けておく。電子制御ユニット６が、正面ケース４より背面側に配設され、且つ、後方下側ケース３の前面側又は後方下側ケース３及び後方上側ケース２の前面側に配設される構成においては、電子制御ユニット６自身に爪引掛け部６ｆを設けてもよい。なお、電子制御ユニット６が正面ケース４の背面側で且つ後方上側ケース２の前面側に配設される構成においても、電子制御ユニット収納ケース６ｇのように下側までケースを設けておくなどすれば、爪引掛け部６ｆを爪部４ｆに合う位置に設けることが可能である。また、爪引掛け部６ｆは、電子制御ユニット６ではなく後方下側ケース３に設けておいてもよい。
【００２２】
このような正面ケース４の取り付け構造を採用することにより、樹脂製である正面ケース４に変形等が生じても、防水効果に影響がない。さらに、正面ケース４を一体化しているため、それ自体で剛性を持たせることが可能となり変形自体が生じ難くなる。さらに、後方下側ケース３又は電子制御ユニット６に引掛け部６ｆを設け、一体化した正面ケース４の下側に設けた爪部４ｆで引掛けることにより、より均一に、電子制御ユニット６の正面側或いは正面ケース４の裏側に設けた防水用の弾性部材を押し付けることができ、防水性を向上させることができる。また。このような取り付け構造を採用することで、下側は固定用部材である爪引掛け部６ｆに引っ掛けて固定するだけであるため、組立工数、固定用ネジを削減することが可能となる。
【００２３】
以上、説明したように、本発明の膜式ガスメータによれば、ケース（正面ケース４）を前面に設けるに際し、ケースを樹脂製にすることが可能で、且つ電子制御ユニットの主要部より上につなぎ目を生じさせることなく優れた防水性を実現することができる。すなわち、従来はカウンタケースと電子制御部ケースで各々表示部、電子制御ユニットを保護していたが、本発明では、上述のように一体化した正面ケース４を採用することで、カウンタ表示部と電子制御部との接合部の隙間が無いため、表面からの水の浸入を、樹脂製を採用したにも係わらず確実に防止でき、また虫の侵入も無くすことができる。さらに、一体化した正面ケース４を固定する際、樹脂製である正面ケース４が変形しても防水性に影響のない安価な方法で固定することもできる。
【図面の簡単な説明】
【００２４】
【図１】本発明に係る膜式ガスメータの一例を示す外観図である。
【図２】図１の膜式ガスメータにおける一体化ケースの固定構造の一例を示す部分断面図である。
【図３】図１の膜式ガスメータの正面ケースを外した構成例を示す外観図である。
【図４】屋外に設置する従来の膜式ガスメータの一例を示す外観図である。
【符号の説明】
【００２５】
１…膜式ガスメータ、２…後方上側ケース、３…後方下側ケース、４…正面ケース、４ａ…開口部、４ｂ…ガラス、４ｃ，６ｅ…復帰操作カード挿入口、４ｄ…端子台カバー、４ｆ…爪部、５ａ，５ｂ，６ｈ…ネジ、６…電子制御ユニット、６ａ…基板、６ｂ…液晶表示部、６ｃ…端子、６ｄ…容器リセットボタン、６ｆ…爪引掛け部、６ｇ…電子制御ユニット収納ケース。
【図１】
2010019590.tif 000003
【図２】
2010019590.tif 000004
【図３】
2010019590.tif 000005
【図４】
2010019590.tif 000006